(57)【要約】【目的】  本発明は、磁石の接着強度を向上させることができるコネクタ及びこれを備えた電子機器を提供する。【構成】  コネクタＣ１は、ハウジング１００と、磁石２００と、保持部３００とを備えている。保持部３００は、ハウジング１００内に浮動自在に収容されており且つ磁石２００を保持している。保持部３００は取付壁３３０ａ、３３０ｂを有している。取付壁３３０ａ、３３０ｂは、磁石２００の周りに間隙をあけて配置されており且つ磁石２００に接着されている。【選択図】      図２Ａ
2015170573.tif 000002
【特許請求の範囲】
【請求項１】
ハウジングと、
磁石と、
前記ハウジング内に浮動自在に収容されており且つ前記磁石を保持する保持部とを備えており、
前記保持部は、前記磁石の周りに間隙をあけて配置されており且つ当該磁石に接着された取付壁を有しているコネクタ。
【請求項２】
請求項１記載のコネクタにおいて、
前記保持部に保持されており且つ前記磁石に接触するヨークを更に備えているコネクタ。
【請求項３】
請求項２記載のコネクタにおいて、
前記ヨークは、前記磁石に接触する接触面を有しており、  
前記取付壁は、前記接触面上に配置、前記接触面上に間隙を有して配置又は前記接触面の周りに配置されており、
前記磁石は、前記取付壁及び前記接触面に接着されているコネクタ。
【請求項４】
請求項１記載のコネクタにおいて、
前記保持部は、前記磁石に接触する接触面を有しており、
前記取付壁は、前記接触面上に配置、前記接触面上に間隙を有して配置又は前記接触面の周りに配置されており、
前記磁石は、前記取付壁及び前記接触面に接着されているコネクタ。
【請求項５】
ハウジングと、
磁石と、
前記磁石に固着されたヨークと、
前記ハウジング内に浮動自在に収容されており且つ前記ヨークを保持する保持部とを備えており、
前記保持部は、前記ヨークの周りに間隙をあけて配置されており且つ当該ヨークに接着された取付壁を有しているコネクタ。
【請求項６】
請求項１〜５の何れかに記載のコネクタにおいて、
前記取付壁の内面は、凸凹面であるコネクタ。
【請求項７】
請求項１〜６の何れかに記載のコネクタにおいて、
前記保持部は、複数の側面と、
前記側面のうち相対する少なくとも二つの側面に第１方向に間隔をあけて設けられた複数の第１係合部とを更に有しており、
前記ハウジングは、当該ハウジングの前記第１係合部に対応する箇所に設けられた複数の第２係合部を有しており、
前記第１係合部及び前記第２係合部の何れか一方が係合凸部であり、他方が、前記係合凸部が前記第１方向に交差する第２方向に移動自在に係合された係合孔であるコネクタ。
【請求項８】
請求項１〜６の何れかに記載のコネクタにおいて、
前記保持部は、円筒状の外周面と、
前記外周面に第１方向に間隔をあけて設けられた複数の第１係合部とを更に有しており、前記第１方向は前記外周面の周方向であり、
前記ハウジングは、当該ハウジングの前記第１係合部に対応する箇所に設けられた複数の第２係合部を有しており、
前記第１係合部及び前記第２係合部の何れか一方が係合凸部であり、他方が、前記係合凸部が前記第１方向に交差する第２方向に移動自在に係合された係合孔であるコネクタ。
【請求項９】
請求項１〜８の何れかに記載のコネクタにおいて、
前記ハウジングは、前記磁石を当該ハウジングの外部に部分的に露出させる開口を有しており、
前記開口の形は、前記磁石の外形よりも大きく且つ前記保持部の外形よりも小さいコネクタ。
【請求項１０】
請求項９に記載のコネクタにおいて、
少なくとも前記磁石の側面又は前記磁石の外周面を覆うカバーを更に備えているコネクタ。
【請求項１１】
請求項１０に記載のコネクタにおいて、
前記カバーは、前記磁石の前記側面又は前記磁石の前記外周面を覆う筒部と、
前記筒部に設けられており且つ前記ハウジングの前記開口の縁部に当該ハウジングの内側から当接可能なフランジとを有しているコネクタ。
【請求項１２】
請求項９〜１１の何れかに記載のコネクタにおいて、
前記ハウジングは、当該ハウジング内に前記開口に連通するように設けられた収容凹部と、
前記収容凹部の天井部とを更に有しており、
前記天井部が前記開口を有しており、
前記保持部及び前記磁石は、当該磁石が前記開口から部分的に露出するように、前記収容凹部内に浮動自在に収容されており、
前記コネクタは、前記収容凹部を塞ぐように前記ハウジングに固着された蓋を更に備えているコネクタ。
【請求項１３】
請求項１〜１２の何れかに記載のコネクタにおいて、
前記ハウジングに保持された端子を更に備えているコネクタ。
【請求項１４】
請求項１２に記載のコネクタにおいて、
端子を更に備えており、
前記ハウジングは、当該ハウジングを貫通しており且つ前記端子を少なくとも部分的に収容した収容孔を更に有しており、
前記端子は、前記ハウジングと前記蓋との間で保持されるフランジを有しているコネクタ。
【請求項１５】
請求項１３〜１４の何れかに記載のコネクタにおいて、
前記端子は、導電性を有するバレルと、
前記バレル内に移動自在に収容されたプランジャと、
前記プランジャを前記バレルから突出する方向に付勢する付勢部と、
前記付勢部と前記プランジャとの間に介在した絶縁体とを更に有しているコネクタ。
【請求項１６】
請求項１２〜１５の何れかに記載のコネクタにおいて、
前記蓋の厚み方向の一方側又は他方側に配置された基板と、
前記基板と前記磁石との間に配置されたシールド部材とを更に備えているコネクタ。
【請求項１７】
請求項１６に記載のコネクタにおいて、
前記基板に接続されたリード線を更に備えており
前記ハウジングは、前記リード線を部分的に収容可能なスリットを更に有しているコネクタ。
【請求項１８】
請求項１〜１９の何れかに記載のコネクタと、
前記コネクタを収容した筐体とを備えている電子機器。
【発明の詳細な説明】
【技術分野】
【０００１】
本発明は、コネクタ及びこれを備えた電子機器に関する。
【背景技術】
【０００２】
従来のコネクタが下記特許文献１に記載されている。このコネクタは、ハウジングと、磁石と、一対の端子とを備えている。ハウジングは、磁石及び端子を保持している。磁石は、接続対象の磁性体に吸着可能である。端子は、磁石が磁性体に吸着した状態で、接続対象の端子に接触する。これにより、コネクタが接続対象に接続される。
【先行技術文献】
【特許文献】
【０００３】
【特許文献１】実開昭５７−１２５４８８号公報
【発明の概要】
【発明が解決しようとする課題】
【０００４】
ところで、この種のコネクタは下記事項を要求されている。第１は、コネクタが接続対象に接続された状態を強固にするため、コネクタが接続対象に接続される向きに応じて、当該コネクタの磁石が浮動し、接続対象の磁性体に吸着することが要求されている。第２は、コネクタの小型化である。
【０００５】
そこで、本願発明者は、コネクタのハウジングに浮動自在に設けられた保持部上に磁石を保持させ、保持部及び磁石を揺動自在とすることを創案した。しかし、コネクタを小型化すると、磁石と保持部とを強固に接着させることが困難であった。
【０００６】
本発明は、上記事情に鑑みて創案されたものであって、その目的とするところは、磁石の接着強度を向上させることができるコネクタ及びこれを備えた電子機器を提供することにある。
【課題を解決するための手段】
【０００７】
上記課題を解決するために、本発明のコネクタは、ハウジングと、磁石と、保持部とを備えている。前記保持部は、前記ハウジング内に浮動自在に収容されており且つ前記磁石を保持している。前記保持部は取付壁を有している。前記取付壁は、前記磁石の周りに間隙をあけて配置されており且つ当該磁石に接着されている。
【０００８】
このような態様のコネクタによる場合、磁石が保持部の取付壁に接着されているので、磁石の保持部に対する接着面積を増大させることができる。よって、磁石の保持部に対する接着強度を向上させることができる。
【０００９】
前記コネクタは、ヨークを更に備えた構成とすることが可能である。前記ヨークは、前記保持部に保持されており且つ前記磁石に接触する構成とすることが可能である。
【００１０】
このような態様のコネクタによる場合、磁石が保持部の取付壁に接着させるときに、磁石が保持部に保持されたヨークに接触するので、磁石の保持部に対する接着と、磁石のヨークに対する取付を同時に行うことができる。
【００１１】
前記ヨークは、前記磁石に接触する接触面を有する構成とすることが可能である。前記取付壁は、前記接触面上に配置、前記支持部上に間隙を有して配置又は前記接触面の周りに配置された構成とすることが可能である。前記磁石は、前記取付壁及び前記接触面に接着された構成とすることが可能である。このような態様のコネクタによる場合、磁石が取付壁及び接触面に接着されているので、磁石の保持部及び当該保持部に保持されたヨークに対する接着面積を増大させることができる。よって、磁石に保持部に対する接着強度を更に向上させることができる。
【００１２】
又は、前記保持部は、前記磁石に接触する接触面を有する構成とすることが可能である。前記取付壁は、前記接触面上に配置、前記接触面上に間隙を有して配置又は前記接触面の周りに配置された構成とすることが可能である。前記磁石は、前記取付壁及び前記接触面に接着された構成とすることが可能である。このような態様のコネクタによる場合、磁石が取付壁及び接触面に接着されているので、磁石の保持部に対する接着面積を増大させることができる。よって、磁石に保持部に対する接着強度を更に向上させることができる。
【００１３】
本発明の別のコネクタは、ハウジングと、磁石と、ヨークと、保持部とを備えている。前記ヨークは前記磁石に固着されている。前記保持部は、前記ハウジング内に浮動自在に収容されており且つ前記ヨークを保持している。前記保持部は、取付壁を有している。前記取付壁は、前記ヨークの周りに間隙をあけて配置されており且つ当該ヨークに接着されている。
【００１４】
このような態様のコネクタによる場合、磁石に固着されたヨークが保持部の取付壁に接着されているので、ヨークの保持部に対する接着面積を増大させることができる。磁石は、ヨークを介して保持部に間接的に接着されているので、前記接着面積の増大が磁石の保持部に対する接着強度を向上させる。
【００１５】
前記取付壁の内面は凸凹面とすることが可能である。このような態様のコネクタによる場合、凸凹面によって、取付壁の磁石又はヨークに対する接着面積が更に増大する。よって、磁石に保持部に対する接着強度を更に向上させることができる。
【００１６】
前記保持部は、複数の側面と、複数の第１係合部とを更に有する構成とすることが可能である。前記第１係合部は、前記側面のうち相対する少なくとも二つの側面に第１方向に間隔をあけて設けられた構成とすることが可能である。前記ハウジングは、複数の第２係合部を有する構成とすることが可能である。前記第２係合部は、前記ハウジングの前記第１係合部に対応する箇所に設けられた構成とすることが可能である。前記第１係合部及び前記第２係合部の何れか一方が係合凸部とすることが可能である。他方が、前記係合凸部が前記第１方向に交差する第２方向に移動自在に係合された係合孔とすることが可能である。
【００１７】
又は、前記保持部は、前記側面の代りに、円筒状の外周面を有する構成とすることが可能である。前記第１係合部は、前記側面ではなく、前記外周面に第１方向に間隔をあけて設けられた構成とすることが可能である。前記第１方向は前記外周面の周方向とすることが可能である。
【００１８】
これらの態様のコネクタによる場合、保持部及び磁石が、ハウジングに簡単な構成で浮動自在に保持されている。複数の係合凸部が複数の係合孔に各々第２方向に移動自在に係合されるだけで、保持部がハウジングに浮動自在に保持されるからである。
【００１９】
前記ハウジングは、前記磁石を当該ハウジングの外部に部分的に露出させる開口を有する構成とすることが可能である。前記開口の形は、前記磁石の外形よりも大きく且つ前記保持部の外形よりも小さくすることが可能である。このような態様のコネクタによる場合、磁石がハウジングの開口から外部に露出しているので、磁石が接続対象の磁性体に対して吸着し易くなる。しかも、開口の形が保持部の外形よりも小さいので、保持部がハウジングから脱落するのを防止することができる。
【００２０】
上記した何れかの態様のコネクタは、少なくとも前記磁石の側面又は前記磁石の外周面を覆うカバーを更に備えた構成とすることが可能である。このような態様のコネクタによる場合、開口から露出する磁石の側面又は外周面が、カバーによって保護される。
【００２１】
前記カバーは、筒部と、フランジとを有する構成とすることが可能である。前記筒部は、前記磁石の前記側面又は前記磁石の前記外周面を覆う構成とすることが可能である。前記フランジは、前記筒部に設けられており且つ前記ハウジングの前記開口の縁部に当該ハウジングの内側から当接可能な構成とすることが可能である。このような態様のコネクタによる場合、カバーがハウジングの開口から脱落するのを防止することができる。
【００２２】
前記ハウジングは、収容凹部と、前記収容凹部の天井部とを更に有する構成とすることが可能である。前記収容凹部は、前記ハウジング内に前記開口に連通するように設けられた構成とすることが可能である。前記天井部が前記開口を有した構成とすることが可能である。前記保持部及び前記磁石は、当該磁石が前記開口から部分的に露出するように、前記収容凹部内に浮動自在に収容された構成とすることが可能である。上記した何れかの態様のコネクタは、前記収容凹部を塞ぐように前記ハウジングに固着された蓋を更に備えた構成とすることが可能である。
【００２３】
このような態様のコネクタによる場合、保持部及び磁石を、当該磁石が開口から部分的に露出するように、ハウジングの収容凹部内に収容した後、蓋で収容凹部を塞ぐようにハウジングに取り付けるだけで、保持部及び磁石をハウジング内に収容させることができる。よって、本コネクタの組み立てが容易になる。
【００２４】
前記コネクタは、端子を更に備えた構成とすることが可能である。
【００２５】
前記ハウジングは、収容孔を更に有した構成とすることが可能である。前記収容孔は、前記ハウジングを貫通しており且つ前記端子を少なくとも部分的に収容した構成とすることが可能である。前記端子は、前記ハウジングと前記蓋とに挟持されるフランジを有した構成とすることが可能である。
【００２６】
前記端子は、導電性を有するバレルと、前記バレル内に移動自在に収容されたプランジャと、前記プランジャを前記バレルから突出する方向に付勢する付勢部と、前記付勢部と前記プランジャとの間に介在した絶縁体とを更に有する構成とすることが可能である。
【００２７】
上記した何れかの態様のコネクタは、基板と、前記シールド部材とを更に備えた構成とすることが可能である。前記基板は、前記蓋の厚み方向の一方側又は他方側に配置された構成とすることが可能である。前記シールド部材は、前記基板と前記磁石との間に配置された構成とすることが可能である。
【００２８】
上記した何れかの態様のコネクタは前記基板に接続されたリード線を更に備えた構成とすることが可能である。前記ハウジングは、前記リード線を部分的に収容可能なスリットを更に有した構成とすることが可能である。
【００２９】
本発明の電子機器は、上記した何れかの態様のコネクタと、前記コネクタを収容した筐体とを備えている。
【図面の簡単な説明】
【００３０】
【図１Ａ】本発明の実施例１に係るコネクタの正面、平面及び右側面を表した斜視図である。
【図１Ｂ】前記コネクタの背面、底面及び右側面を表した斜視図である。
【図２Ａ】前記コネクタの図１Ａ中の２Ａ−２Ａ断面図である。
【図２Ｂ】前記コネクタの図１Ａ中の２Ｂ−２Ｂ断面図である。
【図２Ｃ】前記コネクタの図１Ａ中の２Ｃ−２Ｃ断面図である。
【図３Ａ】前記コネクタの正面、平面及び左側面を表した分解斜視図である。
【図３Ｂ】前記コネクタの背面、底面及び右側面を表した分解斜視図である。
【図４】本発明の実施例１に係る電子機器の一部を示す斜視図である。
【図５Ａ】本発明の実施例２に係るコネクタの正面、平面及び右側面を表した斜視図である。
【図５Ｂ】前記コネクタの背面、底面及び右側面を表した斜視図である。
【図６Ａ】前記コネクタの図５Ａ中の６Ａ−６Ａ断面図である。
【図６Ｂ】前記コネクタの図５Ａ中の６Ｂ−６Ｂ断面図である。
【図６Ｃ】前記コネクタの図５Ａ中の６Ｃ−６Ｃ断面図である。
【図７Ａ】前記コネクタの正面、平面及び左側面を表した分解斜視図である。
【図７Ｂ】前記コネクタの背面、底面及び右側面を表した分解斜視図である。
【発明を実施するための形態】
【００３１】
以下、本発明の実施例１及び２について説明する。
【実施例１】
【００３２】
以下、本発明の実施例１に係るコネクタＣ１について図１Ａ〜図３Ｂを参照しつつ説明する。コネクタＣ１は、ハウジング１００と、浮動ユニットと、一対の端子５００と、シールド部材６００と、蓋７００と、一対のネジ８００と、基板９００とを備えている。以下、コネクタＣ１の各構成要素について詳しく説明する。なお、図２Ａ、図２Ｃ、図３Ａ及び図３Ｂに示すＹ−Ｙ’方向は、コネクタＣ１の長手方向であり且つ特許請求の範囲の第１方向に相当する。図２Ｂ、図２Ｃ、図３Ａ及び図３Ｂに示すＸ−Ｘ’方向は、コネクタＣ１の短手方向であり且つＹ−Ｙ’方向に直角に交差している。図２Ａ、図２Ｂ、図３Ａ及び図３Ｂに示すＺ−Ｚ’方向は、コネクタＣ１の高さ方向であり、且つ特許請求の範囲の第２方向及び蓋７００の厚み方向に相当する。Ｚ方向は前記厚み方向の一方、Ｚ’方向は前記厚み方向の他方に相当する。Ｚ−Ｚ’方向は、Ｙ−Ｙ’方向及びＸ−Ｘ’方向に直角に交差している。
【００３３】
浮動ユニットは、ハウジング１００に浮動自在に保持されている。浮動ユニットは、磁石２００と、保持部３００と、ヨーク４００とを有している。磁石２００は直方体である。ヨーク４００は略矩形状の板である。ヨーク４００のＹ−Ｙ’方向の寸法が磁石２００のＹ−Ｙ’方向の寸法よりも大きく且つヨーク４００のＸ−Ｘ’方向の寸法が磁石２００のＸ−Ｘ’方向の寸法よりも大きい。ヨーク４００は接触面４１０を有している。
【００３４】
保持部３００は、図２Ａ〜図２Ｃに示されるように、磁石２００及びヨーク４００を保持する絶縁樹脂製の略矩形状のブロックである。保持部３００の外形は、ハウジング１００の開口１１１の外形よりも大きい。保持部３００は、Ｚ方向側の面（上面）と、Ｚ’方向側の面（下面）と、側面３０１、３０２、３０３、３０４と、第１収容部３１０と、第２収容部３２０と、取付壁３３０ａ、３３０ｂと、複数の第１係合部３４０ａ、３４０ｂと、複数の孔３５０とを有している。
【００３５】
保持部３００の側面３０１、３０２は、図３Ａ及び図３Ｂに最も良く示されるように、Ｙ−Ｙ’方向において互いに相対している。保持部３００の側面３０３、３０４は、Ｘ−Ｘ’方向において互いに相対している。
【００３６】
第１収容部３１０は、保持部３００の側面３０２に設けられており且つＹ−Ｙ’方向に延びた略矩形状の凹部である。第１収容部３１０の形は、ヨーク４００の外形に対応している。第１収容部３１０に、接触面４１０がＺ方向側に向くように、ヨーク４００が収容され保持されている。
【００３７】
第２収容部３２０は、保持部３００の上面に設けられ凹部であって、第１収容部３１０に連通している。第２収容部３２０のＹ−Ｙ’方向の寸法は、磁石２００のＹ−Ｙ’方向の寸法よりも大きく且つ第１収容部３１０のＹ−Ｙ’方向の寸法よりも小さい。第２収容部３２０のＸ−Ｘ’方向の寸法は、磁石２００のＸ−Ｘ’方向の寸法よりも大きく且つ第１収容部３１０のＸ−Ｘ’方向の寸法よりも小さい。このため、ヨーク４００の接触面４１０が第２収容部３２０を通じて保持部３００外に部分的に露出している。第２収容部３２０に磁石２００の基端部（Ｚ’方向側の部分）が収容され、ヨーク４００の接触面４１０に接触している。
【００３８】
取付壁３３０ａは、図２Ｂ及び図２Ｃに最も良く示されるように、第２収容部３２０のＸ方向側の壁であって、接触面４１０上に位置するようにＸ’方向に延びている。取付壁３３０ａは、磁石２００の周り（Ｘ方向側）に間隙を有して配置されている。取付壁３３０ａは、磁石２００に対向する内面３３１ａを有している。内面３３１ａは凸凹面である。取付壁３３０ｂは、第２収容部３２０のＸ’方向側の壁であって、接触面４１０上に位置するようにＸ方向に延びている。取付壁３３０ｂは、磁石２００の周り（Ｘ’方向側）に間隙を有して配置されている。取付壁３３０ｂは、磁石２００に対向する内面３３１ｂを有している。内面３３１ｂは凸凹面である。取付壁３３０ａ、３３０ｂの内面３３１ａ、３３１ｂ及び接触面４１０の磁石２００の周りの部分に、磁石２００が図示しない接着剤で接着されている。
【００３９】
第１係合部３４０ａは、図３Ａに最も良く示されるように、保持部３００の側面３０３にＹ−Ｙ’方向に間隔をあけて設けられている。第１係合部３４０ａは係合凸部である。第１係合部３４０ａの厚みが、Ｚ方向及びにＸ’方向に暫時低減している。第１係合部３４０ｂは、図３Ｂに最も良く示されるように、保持部３００の側面３０４にＹ−Ｙ’方向に間隔をあけて設けられている。第１係合部３４０ｂは係合凸部である。第１係合部３４０ｂの厚みが、Ｚ方向及びにＸ方向に暫時低減している。
【００４０】
孔３５０は、図２Ａに最も良く示されるように、保持部３００の第１収容部３１０の底から保持部３００の下面にかけて貫通した貫通孔である。孔３５０は、Ｙ−Ｙ’方向に間隔をあけて配置されている。
【００４１】
ハウジング１００は、絶縁樹脂で構成されている。ハウジング１００は、図１Ａ〜図３Ｂに示すように、天井部１１０と、周壁１２０と、一対の仕切り１３０と、収容凹部１４０と、一対の収容部１５０と、一対のガイド部１６０と、一対の固定部１７０と、一対の脚部１８０と、一対の軸部１９０とを有している。
【００４２】
天井部１１０は、図３Ａに最も良く示されるように、略楕円形の絶縁板である。天井部１１０の中心部には、矩形状の開口１１１が設けられている。開口１１１は、天井部１１０をＺ−Ｚ’方向に貫通している。開口１１１から磁石２００の先端部（Ｚ方向側の部分）がハウジング１００外に突出している。ハウジング１００の開口１１１の縁部は、保持部３００の上面の外周部に間隙を有して対向している。そのため、開口１１１の形は、磁石２００の外形よりも大きく且つ保持部３００の外形よりも小さい。より具体的には、開口１１１のＹ−Ｙ’方向の寸法が磁石２００のＹ−Ｙ’方向の寸法よりも大きく且つ保持部３００のＹ−Ｙ’方向の寸法よりも小さい。開口１１１のＸ−Ｘ’方向の寸法が磁石２００のＸ−Ｘ’方向の寸法よりも大きく且つ保持部３００のＸ−Ｘ’方向の寸法よりも小さい。
【００４３】
一対の仕切り１３０のうちの一方は、図２Ｃ及び図３Ｂに最も良く示されるように、天井部１１０のＺ’方向の面（下面）の開口１１１よりＹ方向側の部分からＺ’方向に延びた板である。他方は、天井部１１０の下面の開口１１１よりＹ’方向側の部分からＺ’方向に延びた板である。一対の仕切り１３０及び天井部１１０が収容凹部１４０を区画している。収容凹部１４０内には、保持部３００、ヨーク４００及び磁石２００の基端部が収容されている。
【００４４】
一対の収容部１５０のうちの一方は、図２Ｃ及び図３Ｂに最も良く示されるように、天井部１１０の下面の一方の仕切り１３０よりもＹ方向側の部分からＺ’方向に延びた円筒である。他方は、天井部１１０の下面の他方の仕切り１３０よりもＹ’方向側の部分からＺ’方向に延びた円筒である。一対の収容部１５０は収容孔１５１を有している。収容孔１５１は天井部１１０及び収容部１５０（ハウジング１００）をＺ−Ｚ’方向に貫通している。収容孔１５１の形は端子５００の外形に対応した形状となっている。
【００４５】
一対のガイド部１６０は、図２Ａに最も良く示されるように、天井部１１０のＺ方向の面（上面）に設けられ、Ｚ方向に延びた筒である。一対のガイド部１６０のうちの一方は、一方の収容部１５０の収容孔１５１に連通している。他方は、他方の収容部１５０の収容孔１５１に連通している。
【００４６】
一対の固定部１７０のうちの一方は、図２Ｃ及び図３Ｂに最も良く示されるように、天井部１１０の下面の一方の収容部１５０よりもＹ方向側の部分からＺ’方向に延びた円筒である。一方の固定部１７０と一方の収容部１５０とは第１連結壁によって連結されている。他方は、天井部１１０の下面の他方の収容部１５０よりもＹ’方向側の部分からＺ’方向に延びた円筒である。他方の固定部１７０と他方の収容部１５０とは第２連結壁によって連結されている。一対の固定部１７０はＺ−Ｚ’方向に延びたネジ孔１７１を有している。
【００４７】
周壁１２０は、図３Ａ及び図３Ｂに最も良く示されるように、天井部１１０の下面の外縁部からＺ’方向に延びた略楕円形の筒である。周壁１２０及び一方の仕切り１３０によって、Ｙ側空間が区画されている。このＹ側空間内に、一方の固定部１７０、一方の収容部１５０及び第１連結壁が配置されている。Ｙ側空間内は、一方の固定部１７０、一方の収容部１５０及び第１連結壁によって、第１、第２取付空間α１、α２に二分されている。周壁１２０及び他方の仕切り１３０によって、Ｙ’側空間が区画されている。このＹ’側空間内に、他方の固定部１７０、他方の収容部１５０及び第２連結壁が配置されている。Ｙ’側空間は、他方の固定部１７０、他方の収容部１５０及び第２連結壁によって、第３、第４取付空間α３、α４に二分されている。
【００４８】
周壁１２０は、図２Ｃに最も良く示されるように、複数の第２係合部１２１ａ、１２１ｂと、複数の第３係合部１２２ａ、１２２ｂとを有している。第２係合部１２１ａは、周壁１２０の保持部３００の第１係合部３４０ａに対応する箇所に設けられている。第２係合部１２１ａは、周壁１２０をＸ−Ｘ’方向に貫通した係合孔であって、第１係合部３４０ａをＹ−Ｙ’方向に移動自在に係合している。第２係合部１２１ｂは、周壁１２０の保持部３００の第１係合部３４０ｂに対応する箇所に設けられている。第２係合部１２１ｂは、周壁１２０をＸ−Ｘ’方向に貫通した係合孔であって、第１係合部３４０ｂをＹ−Ｙ’方向に移動自在に係合している。このように第１係合部３４０ａ、３４０ｂが第２係合部１２１ａ、１２１ｂに各々Ｙ−Ｙ’方向に移動自在に係合されることによって、浮動ユニット（保持部３００、ヨーク４００及び磁石２００）がハウジング１００の収容凹部１４０内で浮動自在となっている。なお、第１係合部３４０ａ、３４０ｂが第２係合部１２１ａ、１２１ｂのＺ’方向の縁に当接した状態が、浮動ユニットの初期位置である。
【００４９】
第３係合部１２２ａは、周壁１２０に第１、第３取付空間α１、α３に各々連通するように設けられた係合孔であって、周壁１２０をＸ−Ｘ’方向に貫通している。第３係合部１２２ｂは、周壁１２０に第２、第４取付空間α２、α４に各々連通するように設けられた係合孔であって、周壁１２０をＸ−Ｘ’方向に貫通している。
【００５０】
一対の脚部１８０のうちの一方は、周壁１２０のＸ方向側の壁のＹ方向側の端部からＸ方向に延びている。一方の脚部１８０は、Ｚ方向に延びた櫛歯部１８１を有している。櫛歯部１８１の歯の間にスリット１８２が設けられている。他方の脚部１８０は、周壁１２０のＸ方向側の壁のＹ’方向側の端部からＸ方向に延びている。他方の脚部１８０はＹ−Ｙ’方向において、一方の脚部１８０の対称形状である。一対の軸部１９０のうちの一方は、周壁１２０のＹ方向側の部分から同方向に延びた円柱である。他方は、周壁１２０のＹ’方向側の部分から同方向に延びた円柱である。
【００５１】
一対の端子５００は、図２Ａに最も良く示されるように、ハウジング１００に保持され且つ基板９００に接続されたスプリングピンである。各端子５００は、バレル５１０と、フランジ５２０と、プランジャ５３０と、付勢部５４０と、絶縁体５５０とを有している。バレル５１０は導電性を有している。バレル５１０は、筒５１１と、接続部５１２とを有している。筒５１１は、Ｚ方向に開口する有底の筒である。筒５１１が、ハウジング１００の収容部１５０の収容孔１５１に収容されている。接続部５１２は、筒５１１の底からＺ’方向に延びた円柱である。フランジ５２０は、バレル５１０の外周面に設けられた円板である。フランジ５２０の外径が収容孔１５１の段部の径よりも大きい。フランジ５２０が収容部１５０の収容孔１５１内の段部に当接している。プランジャ５３０は導電性を有している。プランジャ５３０は、バレル５１０の筒５１１内をＺ−Ｚ’方向に摺動自在に収容されている。プランジャ５３０は筒５１１の内面に接触することによって、バレル５１０に電気的に接続されている。付勢部５４０は、バレル５１０の筒５１１内に収容され、プランジャ５３０をＺ方向（バレルから突出する方向）に付勢するコイルスプリングである。この付勢力により、プランジャ５３０の先端部が筒５１１及び収容孔１５１からＺ方向に突出し、ガイド部１６０内に配置されている。絶縁体５５０は、球体であって、プランジャ５３０と付勢部５４０との間に介在し、プランジャ５３０と付勢部５４０とを絶縁している。
【００５２】
蓋７００は、図２Ａ及び図２Ｂに最も良く示されるように、ハウジング１００の収容凹部１４０及び第１〜第４取付空間α１〜α４を塞ぐようにハウジング１００内に固着された絶縁樹脂である。蓋７００は、ベース７１０と、凸部７２０と、凹部７３０と、一対の挿入孔７４０と、一対の貫通孔７５０と、一対の切欠き７６０と、複数の係合アーム７７０ａ、７７０ｂとを有している。
【００５３】
ベース７１０は、ハウジング１００の内形に対応した略楕円形の板である。ベース７１０がハウジング１００の第１〜第４取付空間α１〜α４をＺ’方向側から塞いでいる。凸部７２０は、ベース７１０の中央部からＺ方向に延びた略矩形状の突起である。凸部７２０の外形がハウジング１００の収容凹部１４０の内形に対応している。凸部７２０が、ハウジング１００の収容凹部１４０内に挿入され、当該収容凹部１４０をＺ’方向側から塞いでいる。凸部７２０には、Ｚ方向に開口した開口７２１が設けられている。凹部７３０は、ベース７１０のＺ’方向の面に設けられた略矩形状の凹部であって、開口７２１に連通している。
【００５４】
一対の挿入孔７４０のうちの一方は、凸部７２０の開口７２１よりもＹ方向側の部分に設けられている。他方は、凸部７２０の開口７２１よりもＹ’方向側の部分に設けられている。一対の貫通孔７５０のうちの一方は、ベース７１０の凸部７２０よりもＹ方向側の部分に設けられている。他方は、ベース７１０の凸部７２０よりもＹ’方向側の部分に設けられている。貫通孔７５０内に端子５００の接続部５１２が挿通され、ベース７１０の貫通孔７５０の縁部が端子５００のフランジ５２０に当接している。そのため、貫通孔７５０の径は、端子５００の接続部５１２の外径よりも若干大きい。一対の切欠き７６０の一方は、ベース７１０のＹ方向の端部に設けられている。他方はベース７１０のＹ’方向の端部に設けられている。切欠き７６０は、ハウジング１００の固定部１７０のネジ孔１７１に各々連通している。切欠き７６０の径は、ネジ８００の外径に対応している。
【００５５】
一対の係合アーム７７０ａは、ベース７１０の一対の貫通孔７５０よりもＸ方向側の部分からＺ方向に各々延びている。係合アーム７７０ａのうちの一方は、第１取付空間α１に、他方は第３取付空間α３内に収容されている。係合アーム７７０ａの先端部には、爪７７１ａが設けられている。爪７７１ａがハウジング１００の第３係合部１２２ａに各々係合されている。係合アーム７７０ｂは、ベース７１０の一対の貫通孔７５０よりもＸ’方向側の部分からＺ方向に各々延びている。係合アーム７７０ａのうちの一方は第２取付空間α２に、他方は第４取付空間α４内に収容されている。係合アーム７７０ｂの先端部には、爪７７１ｂが設けられている。爪７７１ｂがハウジング１００の第３係合部１２２ｂに各々係合されている。
【００５６】
シールド部材６００は蓋７００に固着された導電板であって、蓋７００の凸部７２０と共に、ハウジング１００の収容凹部１４０内に収容されている。シールド部材６００は、シールド板６１０と、一対の片部６２０とを有している。シールド板６１０は略矩形状の板であって、蓋７００の凸部７２０のＺ方向の面上に両面テープＴで固着されている。シールド部材６００は、収容凹部１４０内で保持部３００に間隙を有して配置されている。シールド部材６００が磁石２００に吸着される。これにより、浮動ユニットが上記初期位置で保持されている。一対の片部６２０のうちの一方は、シールド板６１０のＹ方向の端からＺ’方向に延びた板である。一方の片部６２０は凸部７２０の一方の挿入孔７４０に挿入されている。他方の片部６２０は、シールド板６１０のＹ’方向の端からＺ’方向に延びた板である。他方の片部６２０は凸部７２０の他方の挿入孔７４０に挿入されている。
【００５７】
基板９００は、蓋７００のＺ’方向側（蓋７００の厚み方向の他方側）に配置されている。基板９００は、基板本体９１０と、接続部９２０とを有している。基板本体９１０の外形は、蓋７００のベース７１０の外形と略同じである。基板本体９１０がベース７１０のＺ’方向の面に当接している。基板本体９１０は、一対のスルーホール電極９１１と、一対の切欠き９１２とを有している。一対のスルーホール電極９１１のうちの一方は、蓋７００の一方の貫通孔７５０に連通するように基板本体９１０に設けられている。他方は、蓋７００の一方の貫通孔７５０に連通するように基板本体９１０に設けられている。スルーホール電極９１１に端子５００の接続部５１２が各々挿入され、電気的に接続されている。一対の切欠き９１２の一方は、一方の切欠き７６０に連通するように、基板本体９１０のＹ方向の端部に設けられている。他方は、他方の切欠き７６０に連通するように、基板本体９１０のＹ’方向の端部に設けられている。基板本体９１０の径は、ネジ８００の外径に対応している。
【００５８】
接続部９２０は、基板本体９１０のＹ方向の端部からＸ方向に延びている。接続部９２０は、ハウジング１００の一方の脚部１８０のＺ’方向の面（下面）に当接している。接続部９２０に図示しない外部接続用のリード線が接続可能である。このリード線が一方の脚部１８０のスリット１８２に部分的に挿入可能である。スリット１８２の幅をリード線の外径よりも若干小さくすることによって、スリット１８２がリード線を部分的に保持可能となる。
【００５９】
ネジ８００の一方は、基板９００の一方の切欠き９１２及び蓋７００の一方の切欠き７６０に挿入され、ハウジング１００の一方の固定部１７０のネジ孔１７１に螺着されている。他方は、基板９００の他方の切欠き９１２及び蓋７００の他方の切欠き７６０に挿入され、ハウジング１００の他方の固定部１７０のネジ孔１７１に螺着されている。
【００６０】
以下、コネクタＣ１の製造方法について説明する。まず、ヨーク４００及び保持部３００を用意する。ヨーク４００の接触面４１０が第２収容部３２０から保持部３００外に露出するように、当該ヨーク４００を保持部３００の第１収容部３１０に挿入する。これにより、ヨーク４００が保持部３００に保持される。その後、磁石２００を用意する。磁石２００を保持部３００の第２収容部３２０に挿入し、ヨーク４００の接触面４１０上に載置する。すると、保持部３００の取付壁３３０ａ、３３０ｂが、磁石２００の周りに間隙を有して配置される。その後、接着剤を前記間隙に塗布する。これにより、磁石２００が取付壁３３０ａ、３３０ｂ及びヨーク４００の接触面４１０に接着される。このようにして浮動ユニットが組み立てられる。
【００６１】
その後、ハウジング１００を用意する。その後、浮動ユニットをＺ’方向側からハウジング１００の収容凹部１４０内に挿入し、浮動ユニットの磁石２００をハウジング１００の開口１１１に挿入する。すると、浮動ユニットの保持部３００の第１係合部３４０ａ、３４０ｂがハウジング１００の第２係合部１２１ａ、１２１ｂに係合される。これにより、浮動ユニットがハウジング１００に浮動自在に収容される。
【００６２】
その後、一対の端子５００を用意する。端子５００をハウジング１００の収容孔１５１に各々挿入する。すると、端子５００のフランジ５２０が収容孔１５１内の段部に各々当接する。
【００６３】
その一方で、シールド部材６００及び蓋７００を用意する。その後、シールド部材６００の一対の片部６２０を蓋７００の一対の挿入孔７４０に各々挿入すると共に、シールド部材６００のシールド板６１０を両面テープＴで凸部７２０に接着する。その後、シールド部材６００及び蓋７００の凸部７２０をハウジング１００の収容凹部１４０に挿入する。これにより、蓋７００がハウジング１００の収容凹部１４０及び第１〜第４取付空間α１〜α４を閉塞する。これと共に、蓋７００の係合アーム７７０ａを第１、第３取付空間α１、α３に挿入し、係合アーム７７０ｂを第２、第４取付空間α２、α４に挿入する。これにより、係合アーム７７０ａの爪７７１ａがハウジング１００の第３係合部１２２ａに各々係合される。係合アーム７７０ｂの爪７７１ｂがハウジング１００の第３係合部１２２ｂに各々係合される。このようにして蓋７００がハウジング１００に取り付けられる。
【００６４】
このとき、ハウジング１００の収容孔１５１に収容された端子５００の接続部５１２が蓋７００の貫通孔７５０に各々挿通される。これと共に、端子５００のフランジ５２０が蓋７００に当接する。これにより、フランジ５２０がハウジング１００と蓋７００に挟持される。蓋７００の切欠き７６０がハウジング１００のネジ孔１７１に各々連通する。
【００６５】
その後、基板９００を用意する。基板９００を蓋７００のＺ’方向の面に当接させる。このとき、貫通孔７５０から突出した端子５００の接続部５１２が基板９００のスルーホール電極９１１に各々挿入され、電気的に接続される。基板９００の一対の切欠き９１２が蓋７００の一対の切欠き７６０に各々連通する。その後、一対のネジ８００を用意する。ネジ８００を切欠き９１２、７６０に順次挿入し、ハウジング１００のネジ孔１７１に各々螺着させる。このようにして基板９００がハウジング１００に取り付けられる。その後、基板９００に接続されたリード線の一部をハウジング１００のスリット１８２に各々挿入し、保持させる。以上の通り、コネクタＣ１が製造される。
【００６６】
以下、本発明の実施例１に係る電子機器について図４を参照しつつ説明する。この電子機器は、スマートフォン等の携帯端末装置（接続対象）用の充電装置である。電子機器は、コネクタＣ１と、筐体１０とを備えている。
【００６７】
筐体１０は、コネクタＣ１等を収容する絶縁樹脂のケースである。筐体１０内で、コネクタＣ１は上記リード線を介して筐体本体１１内の図示しない基板に接続されている。筐体１０は、筐体本体１１と、保護カバー１２とを有している。筐体本体１１は、取付凹部１１ａを有している。この取付凹部１１ａの底面の中央部に図示しない開口が設けられている。
【００６８】
保護カバー１２は、Ｘ−Ｘ’方向の断面視略Ｕ字状の絶縁樹脂であって、筐体本体１１の取付凹部１１ａに嵌合している。保護カバー１２内に携帯端末装置が挿入可能である。保護カバー１２は、底部と、底部のＸ−Ｘ’方向の両端からＺ方向に延びた壁部とを有している。保護カバー１２の底部には、筐体本体１１の前記開口に連通する開口１２ａが設けられている。コネクタＣ１は、筐体本体１１の前記開口及び保護カバー１２の開口１２ａを通じて筐体１０外に露出するように筐体本体１１に配置されている。
【００６９】
携帯端末装置が保護カバー１２内に挿入されると、携帯端末装置の磁性体とコネクタＣ１の磁石２００との間の距離が、磁石２００からシールド部材６００までの距離よりも小さくなる。このため、コネクタＣ１の磁石２００が磁性体に吸着する。このとき、浮動ユニットが初期位置から磁性体の向きに応じて、ハウジング１００の収容凹部１４０内で浮動する。これと共に、携帯端末装置の端子が、ハウジング１００のガイド部１６０に挿入され、端子５００のプランジャ５３０が携帯端末装置の端子に押圧される。付勢部５４０がプランジャ５３０と筒５１１の底との間で圧縮される。これにより、プランジャ５３０が携帯端末装置の端子に所定の接触圧で接触する。このようにしてコネクタＣ１が携帯端末装置に接続される。
【００７０】
以上のようなコネクタＣ１及び電子機器は、以下の技術的特徴を有している。第１に、磁石２００の保持部３００に対する接着強度を向上させることができる。その理由は以下の通りである。磁石２００は、保持部３００の取付壁３３０ａ、３３０ｂと、ヨーク４００の磁石２００の周りの部分とに接着されているため、磁石２００の保持部３００及びヨーク４００に対する接着面積を増大させることができる。よって、コネクタＣ１は小型化に適する。
【００７１】
第２に、浮動ユニットを容易に組み立てることができる。その理由は以下の通りである。ヨーク４００が、当該ヨーク４００の接触面４１０が保持部３００の第２収容部３２０を通じて保持部３００外に部分的に露出するように保持部３００の第１収容部３１０内に収容保持されている。このため、磁石２００を保持部３００の第２収容部３２０内に挿入し、ヨーク４００の接触面４１０に接触させ、磁石２００を保持部３００の取付壁３３０ａ、３３０ｂ及びヨーク４００に接着させるだけで、磁石２００の保持部３００に対する接着と、磁石２００のヨーク４００に対する固着を同時に行うことができる。
【００７２】
第３に、保持部３００、磁石２００及びヨーク４００が、ハウジング１００に簡単な構成で浮動自在に保持されている。具体的には、当該構成は、保持部３００の係合凸部である第１係合部３４０ａ、３４０ｂが、ハウジング１００の係合孔である第２係合部１２１ａ、１２１ｂにＺ−Ｚ’方向に移動自在に保持されるだけで、実現されている。
【００７３】
第４に、コネクタＣ１の組み立てが容易である。なぜなら、浮動ユニット、端子５００、蓋７００及び基板９００をハウジング１００に対してＺ’方向側から組み込むことができるからである。しかも、端子５００のフランジ５２０が、ハウジング１００の収容孔１５１の段部と蓋７００とによって挟持されるので、端子５００をハウジング１００に固定する手間を省略することができる。
【００７４】
第５に、シールド部材６００が、磁石２００と基板９００との間に配置されているため、磁石２００の基板９００に対する磁気的影響を抑制することができる。
【００７５】
第６に、基板９００に接続されるリード線をハウジング１００に容易に固定することができる。なぜなら、リード線をハウジング１００の脚部１８０に設けられたスリット１８２に挿入させるだけで良いからである。
【実施例２】
【００７６】
以下、本発明の実施例２に係るコネクタＣ２について図５Ａ〜図７Ｂを参照しつつ説明する。コネクタＣ２は、コネクタＣ２の浮動ユニットの構成が、コネクタＣ１の浮動ユニットの構成と相違する以外、コネクタＣ１と略同じ構成である。以下、その相違点について詳しく説明し、コネクタＣ２のコネクタＣ１と重複する説明は省略する。なお、浮動ユニットの保持部及びそのサブエレメントの符号については、’を付してコネクタＣ１の浮動ユニットの保持部３００及びそのサブエレメントと区別する。図６Ａ、図６Ｃ、図７Ａ及び図７Ｂに示すＹ−Ｙ’方向は、コネクタＣ２の長手方向であり且つ特許請求の範囲の第１方向に相当する。図６Ｂ、図６Ｃ、図７Ａ及び図７Ｂに示すＸ−Ｘ’方向は、コネクタＣ２の短手方向であり且つＹ−Ｙ’方向に直角に交差している。図６Ａ、図６Ｂ、図７Ａ及び図７Ｂに示すＺ−Ｚ’方向は、コネクタＣ２の高さ方向であり、且つ特許請求の範囲の第２方向及び蓋７００の厚み方向に相当する。Ｚ方向は前記厚み方向の一方、Ｚ’方向は前記厚み方向の他方に相当する。Ｚ−Ｚ’方向は、Ｙ−Ｙ’方向及びＸ−Ｘ’方向に直角に交差している。
【００７７】
コネクタＣ２の浮動ユニットは、磁石２００と、保持部３００’と、カバー１０００とを備えている。保持部３００’は、図６Ａ〜図６Ｃに示されるように、磁石２００を保持する絶縁樹脂製の略矩形状のブロックである。保持部３００’は、Ｚ方向側の面（上面）と、Ｚ’方向側の面（下面）と、側面３０１’、３０２’、３０３’、３０４’と、収容部３１０’と、接触面３２０’と、取付壁３３０ａ’、３３０ｂ’と、複数の第１係合部３４０ａ’、３４０ｂ’と、複数の孔３５０’とを有している。
【００７８】
保持部３００’の側面３０１’、３０２’は、図７Ａ及び図７Ｂに最も良く示されるように、Ｙ−Ｙ’方向において互いに相対している。保持部３００’の側面３０３’、３０４’は、Ｘ−Ｘ’方向において互いに相対している。保持部３００’の側面３０１’〜３０４’は部分的にカットされている。
【００７９】
収容部３１０’は、保持部３００’の上面に設けられており且つＹ−Ｙ’方向に延びた略矩形状の凹部である。接触面３２０’は収容部３１０’の底面である。収容部３１０’のＹ−Ｙ’方向の寸法は、磁石２００のＹ−Ｙ’方向の寸法よりも大きい。収容部３１０’のＹ−Ｙ’方向の寸法は、磁石２００のＹ−Ｙ’方向の寸法よりも大きい。収容部３１０’に磁石２００の基端部（Ｚ’方向側の部分）が収容され、接触面３２０’に接触している。
【００８０】
取付壁３３０ａ’は、図６Ｂ及び図６Ｃに最も良く示されるように、収容部３１０’のＸ方向側の壁であって、磁石２００及び接触面３２０’の周りに（Ｘ方向側）に配置されている。取付壁３３０ａ’と磁石２００との間には間隙が生じている。取付壁３３０ａ’は、磁石２００に対向するフラットな内面３３１ａ’を有している。取付壁３３０ｂ’は、収容部３１０’のＸ’方向側の壁であって、磁石２００及び接触面３２０’の周り（Ｘ’方向側）に配置されている。取付壁３３０ｂ’と磁石２００との間には間隙が生じている。取付壁３３０ｂ’は、磁石２００に対向するフラットな内面３３１ｂ’を有している。取付壁３３０ａ’、３３０ｂ’の内面３３１ａ’、３３１ｂ’及び接触面３２０’の磁石２００の周りの部分に、磁石２００が図示しない接着剤で接着されている。
【００８１】
第１係合部３４０ａ’は、図７Ａに最も良く示されるように、保持部３００’の側面３０３’にＹ−Ｙ’方向に間隔をあけて設けられている。第１係合部３４０ａ’は係合凸部である。第１係合部３４０ａ’の厚みが、Ｚ方向及びにＸ’方向に暫時低減している。第１係合部３４０ａ’がハウジング１００の第２係合部１２１ａに各々Ｙ−Ｙ’方向に移動自在に係合されている。第１係合部３４０ｂ’は、図７Ｂに最も良く示されるように、保持部３００’の側面３０４’にＹ−Ｙ’方向に間隔をあけて設けられている。第１係合部３４０ｂ’は係合凸部である。第１係合部３４０ｂ’の厚みが、Ｚ方向及びにＸ方向に暫時低減している。第１係合部３４０ｂ’がハウジング１００の第２係合部１２１ｂに各々Ｙ−Ｙ’方向に移動自在に係合されている。
【００８２】
孔３５０’は、図６Ａに最も良く示されるように、保持部３００’の接触面３２０’から保持部３００’の下面にかけて貫通した貫通孔である。孔３５０’はＹ−Ｙ’方向に間隔をあけて配置されている。
【００８３】
カバー１０００は、金属板で構成されており且つ磁石２００を覆っている。カバー１０００は、磁石２００と共にハウジング１００の開口１１１からハウジング１００外に部分的に露出している。カバー１０００は、筒部１１００と、天板部１２００と、フランジ１３００とを有している。筒部１１００は、磁石２００の基端部以外の側面を覆う角筒である。天板部１２００は、筒部１１００のＺ方向側の開口を塞ぐように筒部１１００のＺ方向側の端に連接された略矩形状の板であって、磁石２００のＺ方向側の端面（上面）を覆っている。フランジ１３００は、筒部１１００のＺ’方向側の端から外側に延びた角枠状の板であって、保持部３００’の上面の外周部に当接している。フランジ１３００の外形は、ハウジング１００の開口１１１の形よりも大きい。フランジ１３００がハウジング１００の開口１１１の縁部に間隙を有して対向している。すなわち、フランジ１３００は、ハウジング１００の開口１１１の縁部にハウジング１００の内側から当接可能となっている。フランジ１３００によって、カバー１０００がハウジング１００の開口１１１からの脱落が防止される。
【００８４】
以下、上記コネクタＣ２の製造方法について説明する。保持部３００’及び磁石２００を用意する。磁石２００を保持部３００’の収容部３１０’に挿入し、保持部３００’の接触面３２０’上に載置する。すると、保持部３００’の取付壁３３０ａ’、３３０ｂ’が、磁石２００の周りに間隙を有して配置される。その後、接着剤を前記間隙に塗布する。これにより、磁石２００が取付壁３３０ａ’、３３０ｂ’及び接触面３２０’に接着される。その後、カバー１０００を用意する。その後、磁石２００をカバー１０００の筒部１１００内に挿入する。これにより、磁石２００がカバー１０００に覆われると共に、カバー１０００のフランジ１３００が保持部３００’の上面の外周部に当接する。このようにして浮動ユニットが組み立てられる。
【００８５】
その後、ハウジング１００を用意する。その後、浮動ユニットをＺ’方向側からハウジング１００の収容凹部１４０内に挿入し、浮動ユニットのカバー１０００の天板部１２００、カバー１０００の筒部１１００及び磁石２００をハウジング１００の開口１１１に挿入する。すると、浮動ユニットの保持部３００’の第１係合部３４０ａ’、３４０ｂ’がハウジング１００の第２係合部１２１ａ、１２１ｂに係合される。これにより、浮動ユニットがハウジング１００に浮動自在に収容される。これ以降のコネクタＣ２の製造方法は、コネクタＣ１の製造方法と同じであるため、その説明は省略する。
【００８６】
上記コネクタＣ２は、コネクタＣ１と同様に、図４に示す電子機器の筐体１０内に収容され、筐体１０の筐体本体１１及び保護カバー１２の開口１２ａから露出する。携帯端末装置が保護カバー１２内に挿入されると、携帯端末装置の磁性体とコネクタＣ２の磁石２００との間の距離が、磁石２００からシールド部材６００までの距離よりも小さくなる。このため、コネクタＣ２の磁石２００が磁性体に吸着する。このとき、磁性体の向きに応じて、磁石２００、カバー１０００及び保持部３００’がハウジング１００の収容凹部１４０内で浮動する。これと共に、携帯端末装置の端子が、ハウジング１００のガイド部１６０に挿入され、端子５００のプランジャ５３０が携帯端末装置の端子に押圧される。付勢部５４０がプランジャ５３０と筒５１１の底との間で圧縮される。これにより、プランジャ５３０が携帯端末装置の端子に所定の接触圧で接触する。このようにしてコネクタＣ２が携帯端末装置に接続される。
【００８７】
以上のようなコネクタＣ２及び電子機器は、コネクタＣ１の第４〜第６の技術的特徴以外に、以下の技術的特徴を有している。第１に、磁石２００の保持部３００’に対する接着強度を向上させることができる。なぜなら、磁石２００は、保持部３００’の取付壁３３０ａ’、３３０ｂ’と、接触面３２０’の磁石２００の周りの部分とに接着されているため、磁石２００の保持部３００’に対する接着面積を増大させることができるからである。よって、コネクタＣ２は小型化に適する。
【００８８】
第２に、浮動ユニットを容易に組み立てることができる。その理由は以下の通りである。磁石２００を保持部３００’の収容部３１０’内に挿入し、接触面３２０’に接触させ、磁石２００を保持部３００’の取付壁３３０ａ’、３３０ｂ’及び接触面３２０’に接着させるだけで、磁石２００の保持部３００’に対して接着させることができる。
【００８９】
第３に、保持部３００’、カバー１０００及び磁石２００が、ハウジング１００に簡単な構成で浮動自在に保持されている。具体的には、当該構成は、保持部３００’の係合凸部である第１係合部３４０ａ’、３４０ｂ’が、ハウジング１００の係合孔である第２係合部１２１ａ、１２１ｂにＺ−Ｚ’方向に移動自在に保持されるだけで、実現される。
【００９０】
第７に、磁石２００がカバー１０００に覆われているので、磁石２００が保護される。
【００９１】
なお、上記したコネクタ及び電子機器は、上記実施例に限定されるものではなく、特許請求の範囲の記載範囲において任意に設計変更することが可能である。以下、詳しく述べる。
【００９２】
本発明の保持部は、磁石及びヨークの少なくとも一方を保持し、ハウジングに浮動自在に収容されており且つ取付壁を有する限り任意に設計変更することが可能である。保持部がヨークを保持する場合、磁石はヨークに固着された構成とすることが可能である。この場合、保持部は、ヨークを介して磁石を保持する。
【００９３】
本発明の保持部の第１係合部は、当該保持部の複数の側面のうちの相対する少なくとも二つの側面に第１方向に沿って間隔をあけて設けられた構成又は当該保持部の円筒状の外周面に外周面の周方向に間隔をあけて設けられた構成とすることが可能である。これらの第１係合部は、ハウジングに設けられた第２係合部に各々第１方向又は周方向に交差する第２方向に移動自在に係合された構成とすると良い。具体的には、前記第１係合部及び前記第２係合部の何れか一方が係合凸部、他方が、前記係合凸部が前記第１方向に交差する第２方向に移動自在に係合された係合孔とすると良い。なお、係合孔は有底の孔であっても良い。
【００９４】
本発明の保持部の取付壁は、磁石の周りに間隙をあけて配置されており且つ当該磁石に接着されている、又は磁石に固着されたヨークの周りに間隙をあけて配置されており且つ当該ヨークに接着されている限り任意に設計変更することが可能である。例えば、保持部の枠状の取付壁が、磁石の周りに間隙をあけて配置され且つ当該磁石に接着された構成としても良いし、保持部の複数の取付壁が磁石の周りに間隙をあけて配置され且つ当該磁石に接着された構成としても良い。また、ヨークが磁石に固着されている場合、保持部の枠状の取付壁が、ヨークの周りに間隙をあけて配置され且つ当該ヨークに接着された構成としても良いし、保持部の複数の取付壁がヨークの周りに間隙をあけて配置され且つ当該ヨークに接着された構成としても良い。また、保持部の枠状の取付壁が、磁石及びヨークの周りに間隙をあけて配置され且つ両者に接着された構成としても良いし、保持部の複数の取付壁が磁石及びヨークの周りに間隙をあけて配置され且つ両者に接着された構成としても良い。上記実施例又は上記設計変更例の取付壁は、ヨークの磁石に接触する接触面又は保持部の磁石に接触する接触面上に配置、前記接触面上に間隙を有して配置又は接触面の周りに配置された構成とすることが可能である。上記実施例又は上記設計変更例の取付壁の磁石又はヨークに対向する内面は、凸凹面、フラットな面及び円弧面等のように任意に設定することが可能である。本段落の保持部は、上記した何れかの態様の保持部とすることが可能である。
【００９５】
本発明のヨークは省略可能である。また、本発明のヨークは、保持部に保持され且つ磁石に接触していても良いし、磁石に固着されていても良い。例えば、ヨークは、当該ヨークの接触面が保持部の第２収容部から保持部外に露出するように保持部内にインサート成形等によって埋め込まれていても良い。この場合、第１収容部は省略される。ヨークは、磁石の下面、側面及び外周面以外の面に固着されていても良い。本段落の保持部は、上記した何れかの態様の保持部とすることが可能である。
【００９６】
本発明のカバーは、少なくとも磁石の側面又は磁石の外周面を覆うことができる限り任意に設計変更することが可能である。例えば、カバーは、磁石の複数の側面を覆う多角筒又は磁石の外周面を覆う円筒を有する構成とすることが可能である。本発明のカバーの天板部及び／又はフランジは省略可能である。前記多角筒又は前記円筒に、天板部及び／又はフランジが設けられた構成とすることが可能である。上記実施例又は上記設計変更例のカバーが実施例１の磁石２００を覆っても良い。上記設計変更例のカバーが、実施例２の磁石２００を覆っても良い。また、本発明のカバーは、金属板以外の素材（例えば、樹脂）等で構成することも可能である。
【００９７】
本発明のハウジングは、少なくとも磁石が接着された保持部を浮動自在に収容するものである限り任意に設計変更することが可能である。例えば、保持部及び磁石がハウジング内に収容された構成とすることが可能である。この場合、磁石は、ハウジングの開口からハウジング外に部分的に露出した構成としていても良いし、ハウジングから露出しない構成としても良い。すなわち、ハウジングの開口は省略可能である。ハウジングの収容凹部は、少なくとも磁石が接着された保持部を浮動自在に収容可能である限り任意に設計変更することが可能である。例えば、収容凹部のＺ−Ｚ’方向の寸法が保持部のＺ−Ｚ’方向の寸法よりも大きくすることにより、保持部がハウジングの収容凹部内に浮動自在に収容される構成とすることが可能である。この場合、第１係合部及び第２係合部は省略される。収容凹部が開口に連通している必要はない。また、磁石及び保持部の取付壁がハウジングの開口からハウジング外に突出又は露出する構成とすることも可能である。この場合、上記の通り保持部の第１係合部がハウジングの第２係合部に係合された構成とすると良い。
【００９８】
本発明のコネクタは、上記した何れかの態様のハウジングに保持されており且つ接続対象の端子に接触可能な端子を少なくとも一つ備えていれば良い。本発明の端子は、充電用端子及び信号伝送用の端子の少なくとも一方であれば良い。また、本発明の端子は、金属板で構成されていても良い。上記した何れかの態様の端子は、ハウジングの収容孔に圧入され、保持された構成又はハウジングにインサート成形され、保持された構成とすることが可能である。
【００９９】
本発明の蓋は省略可能である。本発明の蓋は、上記した何れかの態様のハウジングの収容凹部を塞ぐように当該ハウジングに固着されている限り任意に設計変更することが可能である。
【０１００】
本発明の基板は省略可能である。基板が省略される場合、上記した何れかの態様の端子にリード線を接続し、リード線を介して電子機器等のコネクタの外部と接続すると良い。本発明の基板は、蓋の厚み方向の一方側又は他方側に配置されており且つ上記した何れかの態様の端子に電気的に接続されている限り任意に設計変更することが可能である。また、本発明の基板上には、電子部品が実装された構成とすることが可能である。電子部品は、例えば、蓋７００の凹部７３０内に配置されるように基板９００に実装された構成とすることが可能である。この場合、電子部品がシールド部材６００によって覆われ、シールドされるからである。
【０１０１】
本発明のシールド部材は省略可能である。また、本発明のシールド部材は、上記した何れかの態様の基板と上記した何れかの態様の磁石との間に配置されている限り任意に設計変更することが可能である。
【０１０２】
本発明のネジは省略可能である。また、また、本発明のコネクタは、ネジに代えて、ピンや接着剤等の固着手段を用いて、蓋及び／又は基板をハウジングに固着することが可能である。
【０１０３】
本発明の電子機器は、上記した何れかの態様のコネクタと、このコネクタを収容した筐体とを備えている限り任意に設計変更することが可能である。本発明の電子機器は、携帯端末装置の充電装置に限定されない。本発明の電子機器の筐体は、筐体本体のみを有する構成とすることが可能である。
【０１０４】
なお、上記実施例におけるコネクタ及び電子機器の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。Ｘ−Ｘ’方向は、Ｙ−Ｙ’方向に交差している限り任意に設計変更することが可能である。Ｚ−Ｚ’方向は、Ｙ−Ｙ’方向及びＸ−Ｘ’方向に交差している限り任意に設計変更することが可能である。上記初期位置は任意に設定可能である。
【符号の説明】
【０１０５】
Ｃ１・・・・・・コネクタ
１００・・・・・ハウジング
１１０・・・・天井部
１１１・・・開口
１２０・・・・周壁
１２１ａ・・第２係合部
１２１ｂ・・第２係合部
１２２ａ・・第３係合部
１２２ｂ・・第３係合部
１３０・・・・仕切り
１４０・・・・収容凹部（ハウジングの収容凹部）
１５０・・・・収容部
１５１・・・収容孔
１６０・・・・ガイド部
１７０・・・・固定部
１７１・・・ネジ孔
１８０・・・・脚部
１８１・・・櫛歯部
１８２・・・スリット
１９０・・・・軸部
２００・・・・・磁石
３００・・・・・保持部
３０１〜３０４・側面
３１０・・・・第１収容部
３２０・・・・第２収容部
３３０ａ・・・取付壁
３３１ａ・・内面
３３０ｂ・・・取付壁
３３１ｂ・・内面
３４０ａ・・・第１係合部
３４０ｂ・・・第１係合部
３５０・・・・孔
４００・・・・・ヨーク
４１０・・・・接触面
５００・・・・・端子
５１０・・・・バレル
５１１・・・筒
５１２・・・接続部
５２０・・・・フランジ
５３０・・・・プランジャ
５４０・・・・付勢部
５５０・・・・絶縁体
６００・・・・・シールド部材
６１０・・・・シールド板
６２０・・・・片部
７００・・・・・蓋
７１０・・・・ベース
７２０・・・・凸部
７２１・・・開口
７３０・・・・凹部
７４０・・・・挿入孔
７５０・・・・貫通孔
７６０・・・・切欠き
７７０ａ・・・係合アーム
７７１ａ・・係合爪
７７０ｂ・・・係合アーム
７７１ｂ・・係合爪
８００・・・・ネジ
９００・・・・基板
９１０・・・基板本体
９１１・・スルーホール電極
９１２・・切欠き
９２０・・・・接続部
Ｃ２・・・・・・コネクタ
３００’・・・支持部
３０１’〜３０４’・側面
３１０・・・収容部
３２０’・・接触面
３３０ａ’・取付壁
３３１ａ’・内面
３３０ｂ’・取付壁
３３１ｂ’・内面
３４０ａ’・第１係合部
３４０ｂ’・第１係合部
３５０’・・孔
１０００・・・カバー
１１００・・筒部
１２００・・天板部
１３００・・フランジ
１０・・・・・・筐体
１１・・・・・筐体本体
１２・・・・・保護カバー
１２ａ・・・開口（筐体の開口）
【図１Ａ】
2015170573.tif 000003
【図１Ｂ】
2015170573.tif 000004
【図２Ａ】
2015170573.tif 000005
【図２Ｂ】
2015170573.tif 000006
【図２Ｃ】
2015170573.tif 000007
【図３Ａ】
2015170573.tif 000008
【図３Ｂ】
2015170573.tif 000009
【図４】
2015170573.tif 000010
【図５Ａ】
2015170573.tif 000011
【図５Ｂ】
2015170573.tif 000012
【図６Ａ】
2015170573.tif 000013
【図６Ｂ】
2015170573.tif 000014
【図６Ｃ】
2015170573.tif 000015
【図７Ａ】
2015170573.tif 000016
【図７Ｂ】
2015170573.tif 000017
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
ハウジングと、
磁石と、
前記ハウジング内に浮動自在に収容されており且つ前記磁石を保持する保持部とを備えており、
前記保持部は、前記磁石の周りに間隙をあけて配置されており且つ当該磁石に接着された取付壁を有しているコネクタ。
【請求項２】
請求項１記載のコネクタにおいて、
前記保持部に保持されており且つ前記磁石に接触するヨークを更に備えているコネクタ。
【請求項３】
請求項２記載のコネクタにおいて、
前記ヨークは、前記磁石に接触する接触面を有しており、
前記取付壁は、前記接触面上に配置、前記接触面上に間隙を有して配置又は前記接触面の周りに配置されており、
前記磁石は、前記取付壁及び前記接触面に接着されているコネクタ。
【請求項４】
請求項１記載のコネクタにおいて、
前記保持部は、前記磁石に接触する接触面を有しており、
前記取付壁は、前記接触面上に配置、前記接触面上に間隙を有して配置又は前記接触面の周りに配置されており、
前記磁石は、前記取付壁及び前記接触面に接着されているコネクタ。
【請求項５】
ハウジングと、
磁石と、
前記磁石に固着されたヨークと、
前記ハウジング内に浮動自在に収容されており且つ前記ヨークを保持する保持部とを備えており、
前記保持部は、前記ヨークの周りに間隙をあけて配置されており且つ当該ヨークに接着された取付壁を有しているコネクタ。
【請求項６】
請求項１〜５の何れかに記載のコネクタにおいて、
前記取付壁の内面は、凸凹面であるコネクタ。
【請求項７】
請求項１〜６の何れかに記載のコネクタにおいて、
前記保持部は、複数の側面と、
前記側面のうち相対する少なくとも二つの側面に第１方向に間隔をあけて設けられた複数の第１係合部とを更に有しており、
前記ハウジングは、当該ハウジングの前記第１係合部に対応する箇所に設けられた複数の第２係合部を有しており、
前記第１係合部及び前記第２係合部の何れか一方が係合凸部であり、他方が、前記係合凸部が前記第１方向に交差する第２方向に移動自在に係合された係合孔であるコネクタ。
【請求項８】
請求項１〜６の何れかに記載のコネクタにおいて、
前記保持部は、円筒状の外周面と、
前記外周面に第１方向に間隔をあけて設けられた複数の第１係合部とを更に有しており、前記第１方向は前記外周面の周方向であり、
前記ハウジングは、当該ハウジングの前記第１係合部に対応する箇所に設けられた複数
の第２係合部を有しており、
前記第１係合部及び前記第２係合部の何れか一方が係合凸部であり、他方が、前記係合凸部が前記第１方向に交差する第２方向に移動自在に係合された係合孔であるコネクタ。
【請求項９】
請求項１〜８の何れかに記載のコネクタにおいて、
前記ハウジングは、前記磁石を当該ハウジングの外部に部分的に露出させる開口を有しており、
前記開口の形は、前記磁石の外形よりも大きく且つ前記保持部の外形よりも小さいコネクタ。
【請求項１０】
請求項９に記載のコネクタにおいて、
少なくとも前記磁石の側面又は前記磁石の外周面を覆うカバーを更に備えているコネクタ。
【請求項１１】
請求項１０に記載のコネクタにおいて、
前記カバーは、前記磁石の前記側面又は前記磁石の前記外周面を覆う筒部と、
前記筒部に設けられており且つ前記ハウジングの前記開口の縁部に当該ハウジングの内側から当接可能なフランジとを有しているコネクタ。
【請求項１２】
請求項９〜１１の何れかに記載のコネクタにおいて、
前記ハウジングは、当該ハウジング内に前記開口に連通するように設けられた収容凹部と、
前記収容凹部の天井部とを更に有しており、
前記天井部が前記開口を有しており、
前記保持部及び前記磁石は、当該磁石が前記開口から部分的に露出するように、前記収容凹部内に浮動自在に収容されており、
前記コネクタは、前記収容凹部を塞ぐように前記ハウジングに固着された蓋を更に備えているコネクタ。
【請求項１３】
請求項１〜１２の何れかに記載のコネクタにおいて、
前記ハウジングに保持された端子を更に備えているコネクタ。
【請求項１４】
請求項１２に記載のコネクタにおいて、
端子を更に備えており、
前記ハウジングは、当該ハウジングを貫通しており且つ前記端子を少なくとも部分的に収容した収容孔を更に有しており、
前記端子は、前記ハウジングと前記蓋との間で保持されるフランジを有しているコネクタ。
【請求項１５】
請求項１３〜１４の何れかに記載のコネクタにおいて、
前記端子は、導電性を有するバレルと、
前記バレル内に移動自在に収容されたプランジャと、
前記プランジャを前記バレルから突出する方向に付勢する付勢部と、
前記付勢部と前記プランジャとの間に介在した絶縁体とを有しているコネクタ。
【請求項１６】
請求項１２又は１４記載のコネクタにおいて、
前記蓋の厚み方向の一方側又は他方側に配置された基板と、
前記基板と前記磁石との間に配置されたシールド部材とを更に備えているコネクタ。
【請求項１７】
請求項１６に記載のコネクタにおいて、
前記基板に接続されたリード線を更に備えており、
前記ハウジングは、前記リード線を部分的に収容可能なスリットを更に有しているコネクタ。
【請求項１８】
請求項１〜１９の何れかに記載のコネクタと、
前記コネクタを収容した筐体とを備えている電子機器。
【手続補正２】
【補正対象書類名】明細書
【補正対象項目名】００１１
【補正方法】変更
【補正の内容】
【００１１】
前記ヨークは、前記磁石に接触する接触面を有する構成とすることが可能である。前記取付壁は、前記接触面上に配置、前記接触面上に間隙を有して配置又は前記接触面の周りに配置された構成とすることが可能である。前記磁石は、前記取付壁及び前記接触面に接着された構成とすることが可能である。このような態様のコネクタによる場合、磁石が取付壁及び接触面に接着されているので、磁石の保持部及び当該保持部に保持されたヨークに対する接着面積を増大させることができる。よって、磁石の保持部に対する接着強度を更に向上させることができる。
【手続補正３】
【補正対象書類名】明細書
【補正対象項目名】００１２
【補正方法】変更
【補正の内容】
【００１２】
又は、前記保持部は、前記磁石に接触する接触面を有する構成とすることが可能である。前記取付壁は、前記接触面上に配置、前記接触面上に間隙を有して配置又は前記接触面の周りに配置された構成とすることが可能である。前記磁石は、前記取付壁及び前記接触面に接着された構成とすることが可能である。このような態様のコネクタによる場合、磁石が取付壁及び接触面に接着されているので、磁石の保持部に対する接着面積を増大させることができる。よって、磁石の保持部に対する接着強度を更に向上させることができる。
【手続補正４】
【補正対象書類名】明細書
【補正対象項目名】００１５
【補正方法】変更
【補正の内容】
【００１５】
前記取付壁の内面は凸凹面とすることが可能である。このような態様のコネクタによる場合、凸凹面によって、取付壁の磁石又はヨークに対する接着面積が更に増大する。よって、磁石の保持部に対する接着強度を更に向上させることができる。
【手続補正５】
【補正対象書類名】明細書
【補正対象項目名】００２４
【補正方法】変更
【補正の内容】
【００２４】
前記コネクタは、ハウジングに保持された端子を更に備えた構成とすることが可能である。
【手続補正６】
【補正対象書類名】明細書
【補正対象項目名】００３７
【補正方法】変更
【補正の内容】
【００３７】
第２収容部３２０は、保持部３００の上面に設けられた凹部であって、第１収容部３１０に連通している。第２収容部３２０のＹ−Ｙ’方向の寸法は、磁石２００のＹ−Ｙ’方向の寸法よりも大きく且つ第１収容部３１０のＹ−Ｙ’方向の寸法よりも小さい。第２収容部３２０のＸ−Ｘ’方向の寸法は、磁石２００のＸ−Ｘ’方向の寸法よりも大きく且つ第１収容部３１０のＸ−Ｘ’方向の寸法よりも小さい。このため、ヨーク４００の接触面４１０が第２収容部３２０を通じて保持部３００外に部分的に露出している。第２収容部３２０に磁石２００の基端部（Ｚ’方向側の部分）が収容され、ヨーク４００の接触面４１０に接触している。
【手続補正７】
【補正対象書類名】明細書
【補正対象項目名】００３９
【補正方法】変更
【補正の内容】
【００３９】
第１係合部３４０ａは、図３Ａに最も良く示されるように、保持部３００の側面３０３にＹ−Ｙ’方向に間隔をあけて設けられている。第１係合部３４０ａは係合凸部である。第１係合部３４０ａの厚みが、Ｚ方向及びＸ’方向に漸次低減している。第１係合部３４０ｂは、図３Ｂに最も良く示されるように、保持部３００の側面３０４にＹ−Ｙ’方向に間隔をあけて設けられている。第１係合部３４０ｂは係合凸部である。第１係合部３４０ｂの厚みが、Ｚ方向及びＸ方向に漸次低減している。
【手続補正８】
【補正対象書類名】明細書
【補正対象項目名】００５５
【補正方法】変更
【補正の内容】
【００５５】
一対の係合アーム７７０ａは、ベース７１０の一対の貫通孔７５０よりもＸ方向側の部分からＺ方向に各々延びている。一対の係合アーム７７０ａのうちの一方は、第１取付空間α１に、他方は第３取付空間α３内に収容されている。係合アーム７７０ａの先端部には、爪７７１ａが設けられている。爪７７１ａがハウジング１００の第３係合部１２２ａに各々係合されている。一対の係合アーム７７０ｂは、ベース７１０の一対の貫通孔７５０よりもＸ’方向側の部分からＺ方向に各々延びている。一対の係合アーム７７０ｂのうちの一方は第２取付空間α２に、他方は第４取付空間α４内に収容されている。係合アーム７７０ｂの先端部には、爪７７１ｂが設けられている。爪７７１ｂがハウジング１００の第３係合部１２２ｂに各々係合されている。
【手続補正９】
【補正対象書類名】明細書
【補正対象項目名】００５７
【補正方法】変更
【補正の内容】
【００５７】
基板９００は、蓋７００のＺ’方向側（蓋７００の厚み方向の他方側）に配置されている。基板９００は、基板本体９１０と、接続部９２０とを有している。基板本体９１０の外形は、蓋７００のベース７１０の外形と略同じである。基板本体９１０がベース７１０のＺ’方向の面に当接している。基板本体９１０は、一対のスルーホール電極９１１と、一対の切欠き９１２とを有している。一対のスルーホール電極９１１のうちの一方は、蓋７００の一方の貫通孔７５０に連通するように基板本体９１０に設けられている。他方は、蓋７００の他方の貫通孔７５０に連通するように基板本体９１０に設けられている。スルーホール電極９１１に端子５００の接続部５１２が各々挿入され、電気的に接続されている。一対の切欠き９１２の一方は、一方の切欠き７６０に連通するように、基板本体９１０のＹ方向の端部に設けられている。他方は、他方の切欠き７６０に連通するように、基板本体９１０のＹ’方向の端部に設けられている。切欠き９１２の径は、ネジ８００の外径に対応している。
【手続補正１０】
【補正対象書類名】明細書
【補正対象項目名】００７９
【補正方法】変更
【補正の内容】
【００７９】
収容部３１０’は、保持部３００’の上面に設けられており且つＹ−Ｙ’方向に延びた略矩形状の凹部である。接触面３２０’は収容部３１０’の底面である。収容部３１０’のＹ−Ｙ’方向の寸法は、磁石２００のＹ−Ｙ’方向の寸法よりも大きい。収容部３１０’に磁石２００の基端部（Ｚ’方向側の部分）が収容され、接触面３２０’に接触している。
【手続補正１１】
【補正対象書類名】明細書
【補正対象項目名】００８１
【補正方法】変更
【補正の内容】
【００８１】
第１係合部３４０ａ’は、図７Ａに最も良く示されるように、保持部３００’の側面３０３’にＹ−Ｙ’方向に間隔をあけて設けられている。第１係合部３４０ａ’は係合凸部である。第１係合部３４０ａ’の厚みが、Ｚ方向及びＸ’方向に漸次低減している。第１係合部３４０ａ’がハウジング１００の第２係合部１２１ａに各々Ｙ−Ｙ’方向に移動自在に係合されている。第１係合部３４０ｂ’は、図７Ｂに最も良く示されるように、保持部３００’の側面３０４’にＹ−Ｙ’方向に間隔をあけて設けられている。第１係合部３４０ｂ’は係合凸部である。第１係合部３４０ｂ’の厚みが、Ｚ方向及びＸ方向に漸次低減している。第１係合部３４０ｂ’がハウジング１００の第２係合部１２１ｂに各々Ｙ−Ｙ’方向に移動自在に係合されている。
【手続補正１２】
【補正対象書類名】明細書
【補正対象項目名】００８８
【補正方法】変更
【補正の内容】
【００８８】
第２に、浮動ユニットを容易に組み立てることができる。その理由は以下の通りである。磁石２００を保持部３００’の収容部３１０’内に挿入し、接触面３２０’に接触させ、磁石２００を保持部３００’の取付壁３３０ａ’、３３０ｂ’及び接触面３２０’に接着させるだけで、磁石２００を保持部３００’に対して接着させることができる。
【手続補正１３】
【補正対象書類名】明細書
【補正対象項目名】０１０２
【補正方法】変更
【補正の内容】
【０１０２】
本発明のネジは省略可能である。また、本発明のコネクタは、ネジに代えて、ピンや接着剤等の固着手段を用いて、蓋及び／又は基板をハウジングに固着することが可能である。
【手続補正１４】
【補正対象書類名】明細書
【補正対象項目名】０１０５
【補正方法】変更
【補正の内容】
【０１０５】
Ｃ１・・・・・・コネクタ
１００・・・・・ハウジング
１１０・・・・天井部
１１１・・・開口
１２０・・・・周壁
１２１ａ・・第２係合部
１２１ｂ・・第２係合部
１２２ａ・・第３係合部
１２２ｂ・・第３係合部
１３０・・・・仕切り
１４０・・・・収容凹部（ハウジングの収容凹部）
１５０・・・・収容部
１５１・・・収容孔
１６０・・・・ガイド部
１７０・・・・固定部
１７１・・・ネジ孔
１８０・・・・脚部
１８１・・・櫛歯部
１８２・・・スリット
１９０・・・・軸部
２００・・・・・磁石
３００・・・・・保持部
３０１〜３０４・側面
３１０・・・・第１収容部
３２０・・・・第２収容部
３３０ａ・・・取付壁
３３１ａ・・内面
３３０ｂ・・・取付壁
３３１ｂ・・内面
３４０ａ・・・第１係合部
３４０ｂ・・・第１係合部
３５０・・・・孔
４００・・・・・ヨーク
４１０・・・・接触面
５００・・・・・端子
５１０・・・・バレル
５１１・・・筒
５１２・・・接続部
５２０・・・・フランジ
５３０・・・・プランジャ
５４０・・・・付勢部
５５０・・・・絶縁体
６００・・・・・シールド部材
６１０・・・・シールド板
６２０・・・・片部
７００・・・・・蓋
７１０・・・・ベース
７２０・・・・凸部
７２１・・・開口
７３０・・・・凹部
７４０・・・・挿入孔
７５０・・・・貫通孔
７６０・・・・切欠き
７７０ａ・・・係合アーム
７７１ａ・・係合爪
７７０ｂ・・・係合アーム
７７１ｂ・・係合爪
８００・・・・ネジ
９００・・・・基板
９１０・・・基板本体
９１１・・スルーホール電極
９１２・・切欠き
９２０・・・・接続部
Ｃ２・・・・・・コネクタ
３００’・・・保持部
３０１’〜３０４’・側面
３１０・・・収容部
３２０’・・接触面
３３０ａ’・取付壁
３３１ａ’・内面
３３０ｂ’・取付壁
３３１ｂ’・内面
３４０ａ’・第１係合部
３４０ｂ’・第１係合部
３５０’・・孔
１０００・・・カバー
１１００・・筒部
１２００・・天板部
１３００・・フランジ
１０・・・・・・筐体
１１・・・・・筐体本体
１２・・・・・保護カバー
１２ａ・・・開口（筐体の開口）
【手続補正１５】
【補正対象書類名】図面
【補正対象項目名】図７Ｂ
【補正方法】変更
【補正の内容】
【図７Ｂ】
2015170573.tif 000018